(57)【要約】【課題】制御情報量を小さくするとともに他のトラフィックへの干渉を抑制し、さらに消費電流の増加を防ぐこと。【解決手段】基地局装置６００は、特定区域有効期限内以外の時間において通信帯域内の全てのサブキャリアの無線品質情報を受信し、特定区域有効期限内において通信帯域内の一部のサブキャリアの無線品質情報を受信する。また、基地局装置６００は、各サブキャリアに対して、受信した無線品質情報の無線品質に応じたリソースを割り当てる。【選択図】図７
2010035233.tif 000002
【特許請求の範囲】
【請求項１】
第１の通信時間において通信帯域内の全てのサブキャリアの受信品質に関する情報を受信し、第２の通信時間において前記通信帯域内の一部のサブキャリアの受信品質に関する情報を受信する受信手段を有する受信装置。
【請求項２】
前記第１の通信時間若しくは前記第２の通信時間に関する情報を送信する送信手段をさらに有する請求項１記載の受信装置。
【請求項３】
前記受信手段は、前記第１の通信時間における受信と、前記第２の通信時間における受信とを交互に繰り返す請求項１記載の受信装置。
【請求項４】
前記受信手段は、前記第１の通信時間における受信と、前記第２の通信時間における受信とを所定の周期で交互に繰り返す請求項１記載の受信装置。
【請求項５】
第１の通信時間において通信帯域内の全てのサブキャリアの受信品質に関する情報を受信するステップと、
第２の通信時間において前記通信帯域内の一部のサブキャリアの受信品質に関する情報を受信するステップと、
を有する受信方法。
【請求項６】
通信帯域内の一部のサブキャリアの受信品質に関する情報を受信する受信方法。
【発明の詳細な説明】
【技術分野】
【０００１】
本発明は、受信装置及び受信方法に関し、特に周波数スケジューリングを用いた通信方式に適用する受信装置及び受信方法に関する。
【背景技術】
【０００２】
高速無線伝送においては、多様なトラフィックを収容できる柔軟な伝送制御を行うことによって信号伝送の効率化を図ることが重要となる。トラフィック制御技術としては時間スケジューリング、及び周波数スケジューリング等があり、例えばＭＣ−ＣＤＭＡにおける周波数スケジューリングが検討されている。
【０００３】
ＭＣ−ＣＤＭＡにおいて、基地局は、複数の通信端末装置から報告されるＳＩＮＲ（Signal to Interference plus Noise Ratio）等の受信品質情報に基づいて、伝搬路の良いサブキャリアを選択してデータを送信する。各ユーザがそれぞれ伝搬状態のよいサブキャリアを用いるため、小さいＰＥＲ（Packet Error Rate）での通信が可能となる。
【０００４】
また、遅延要求を考慮したリソースの制御方法が提案されている（例えば、特許文献１）。このような制御方法においては、送信遅延に対して厳格な要求を持つ接続に対して、動的に制御できる帯域幅を伴う回路交換接続が割り当てられる。次いで、回路交換接続へのリソース割り当て後に未指定となっているリソースプールから、送信遅延に対して高い許容度をもつ接続に対してリソースが割り当てられる。
【先行技術文献】
【特許文献】
【０００５】
【特許文献１】特表２００１−５１２９３９号公報
【発明の概要】
【発明が解決しようとする課題】
【０００６】
しかしながら、従来の装置においては、周波数スケジューリングの際に、通信端末装置は、全てのサブキャリアの受信品質情報を基地局装置に報告しなければならないため、上り回線の制御情報量が大きくなり、他のトラフィックへの干渉が増加するという問題がある。また、従来の装置においては、通信端末装置は、全てのサブキャリアの受信品質を測定する必要があるので、品質測定用の信号処理により消費電流が増大するという問題がある。また、従来の装置は、遅延要求を考慮したリソースの制御を適用することを想定した場合、遅延が許容されるデータを送信されるユーザは、送信割当の優先順位は低くされるにもかかわらず、遅延が許容されないデータを送信されるユーザと同等の制御情報を送り続ける必要があり、制御情報の送信により干渉が増大するとともに、受信品質測定による消費電流が増加するという問題がある。
【０００７】
本発明の目的は、制御情報量を小さくすることができるとともに他のトラフィックへの干渉を抑制することができ、さらに消費電流の増加を防ぐことができる受信装置及び受信方法を提供することである。
【課題を解決するための手段】
【０００８】
本発明の受信装置は、第１の通信時間において通信帯域内の全てのサブキャリアの受信品質に関する情報を受信し、第２の通信時間において前記通信帯域内の一部のサブキャリアの受信品質に関する情報を受信する受信手段を有する構成を採る。
【０００９】
本発明の受信方法は、第１の通信時間において通信帯域内の全てのサブキャリアの受信品質に関する情報を受信するステップと、第２の通信時間において前記通信帯域内の一部のサブキャリアの受信品質に関する情報を受信するステップと、を有するようにした。
【００１０】
また、本発明の受信方法は、通信帯域内の一部のサブキャリアの受信品質に関する情報を受信するようにした。
【発明の効果】
【００１１】
本発明によれば、制御情報量を小さくすることができるとともに他のトラフィックへの干渉を抑制することができ、さらに消費電流の増加を防ぐことができる。
【図面の簡単な説明】
【００１２】
【図１】本発明の実施の形態１に係る通信装置の構成を示すブロック図
【図２】本発明の実施の形態１に係る基地局装置の構成を示すブロック図
【図３】本発明の実施の形態１に係る通信装置と基地局装置の動作を示すシーケンス図
【図４】本発明の実施の形態１に係る周波数と受信品質との関係を示す図
【図５】本発明の実施の形態２に係る通信装置の構成を示すブロック図
【図６】本発明の実施の形態２に係る基地局装置の構成を示すブロック図
【図７】本発明の実施の形態２に係る通信装置と基地局装置の動作を示すシーケンス図
【図８】本発明の実施の形態３に係る通信装置の構成を示すブロック図
【図９】本発明の実施の形態３に係る基地局装置の構成を示すブロック図
【図１０】本発明の実施の形態３に係る通信装置と基地局装置の動作を示すシーケンス図
【図１１】本発明の実施の形態４に係る通信装置の構成を示すブロック図
【図１２】本発明の実施の形態４に係る基地局装置の構成を示すブロック図
【図１３】本発明の実施の形態４に係る周波数と受信品質との関係を示す図
【図１４】本発明の実施の形態５に係る通信装置の構成を示すブロック図
【図１５】本発明の実施の形態５に係る基地局装置の構成を示すブロック図
【発明を実施するための形態】
【００１３】
以下、本発明の実施の形態について、図面を参照して詳細に説明する。
【００１４】
（実施の形態１）
図１は、本発明の実施の形態１に係る通信装置１００の構成を示すブロック図である。
【００１５】
アンテナ１０１は、信号を受信してＲＦ受信部１０２へ出力するとともに、ＲＦ送信部１１２から入力した信号を送信する。
【００１６】
ＲＦ受信部１０２は、アンテナ１０１から入力した受信信号を無線周波数からベースバンド周波数にダウンコンバートして復調部１０３へ出力する。
【００１７】
復調部１０３は、後述する分離部１０５から入力した無線リソース割り当て情報にて指示されたサブキャリアについて、分離部１０５から入力した送信パラメータの情報に含まれる変調方式の情報に基づいて、ＲＦ受信部１０２から入力した受信信号を復調して誤り訂正復号部１０４及び無線品質測定部１０７へ出力する。ここで、送信パラメータの情報とは、後述する基地局装置にて各通信装置に割り当てられる変調方式及び符号化率の情報であり、基地局装置から各通信装置へ送信される情報である。また、無線リソース割り当て情報とは、基地局装置にて無線品質に基づいて選択されたサブキャリアの情報であり、基地局装置から各通信装置へ送信される情報である。
【００１８】
誤り訂正復号部１０４は、分離部１０５から入力した無線リソース割り当て情報にて指示されたサブキャリアについて、分離部１０５から入力した送信パラメータの情報に含まれる符号化率の情報に基づいて、復調部１０３から入力した受信信号を誤り訂正復号して分離部１０５へ出力する。
【００１９】
分離部１０５は、誤り訂正復号部１０４から入力した受信信号から、無線リソース割り当て情報、特定区域情報及び送信パラメータの情報を分離して、分離した特定区域情報を特定区域情報制御部１０６へ出力し、無線リソース割り当て情報及び送信パラメータの情報を復調部１０３及び誤り訂正復号部１０４へ出力する。また、分離部１０５は、無線リソース割り当て情報、特定区域情報及び送信パラメータの情報を分離した後の受信信号を出力する。ここで、特定区域情報とは、基地局装置から指示される通信装置１００にて選択するサブキャリアの情報であり、基地局装置から各通信装置へ送信される情報である。
【００２０】
サブキャリア選択手段である特定区域情報制御部１０６は、分離部１０５から入力した特定区域情報にて指示された、自分宛に送信されるデータを割り当てるサブキャリアを選択し、選択したサブキャリアの情報を無線品質測定部１０７へ出力する。なお、サブキャリアを選択する方法については後述する。
【００２１】
無線品質測定部１０７は、復調部１０３から入力した受信信号に含まれる既知信号であるパイロット信号を用いて、特定区域情報制御部１０６から入力したサブキャリアの情報より、選択したサブキャリアの無線品質を測定する。そして、無線品質測定部１０７は、測定結果を無線品質情報生成部１０８へ出力する。
【００２２】
無線品質情報生成部１０８は、無線品質測定部１０７から入力した測定結果を示す情報である無線品質情報を生成し、生成した無線品質情報を多重部１０９へ出力する。
【００２３】
多重部１０９は、送信信号と無線品質情報生成部１０８から入力した無線品質情報とを多重して誤り訂正符号化部１１０へ出力する。
【００２４】
誤り訂正符号化部１１０は、多重部１０９から入力した多重された送信信号を誤り訂正符号化して変調部１１１へ出力する。
【００２５】
変調部１１１は、誤り訂正符号化部１１０から入力した送信信号を変調してＲＦ送信部１１２へ出力する。
【００２６】
ＲＦ送信部１１２は、変調部１１１から入力した送信信号をベースバンド周波数から無線周波数にアップコンバートしてアンテナ１０１へ出力する。
【００２７】
次に、通信装置１００の通信相手である基地局装置２００の構成について、図２を用いて説明する。図２は、基地局装置２００の構成を示すブロック図である。なお、図２は、基地局装置２００が２つの通信装置１００と通信している場合であるが、基地局装置２００は、２つ以外の任意の数の通信装置と通信することができる。この場合には、送信パラメータ設定部２０７、２０８、無線品質しきい値設定部２０９、２１０及び特定区域割当設定部２１１、２１２は、通信している通信装置の数と同じ数だけ各々設けることができる。
【００２８】
アンテナ２０１は、信号を受信してＲＦ受信部２０２へ出力するとともに、ＲＦ送信部２１６から入力した信号を送信する。
【００２９】
ＲＦ受信部２０２は、アンテナ２０１から入力した受信信号を無線周波数からベースバンド周波数にダウンコンバートして復調部２０３へ出力する。
【００３０】
復調部２０３は、ＲＦ受信部２０２から入力した受信信号を復調して誤り訂正復号部２０４へ出力する。
【００３１】
誤り訂正復号部２０４は、復調部２０３から入力した受信信号を誤り訂正復号して分離部２０５へ出力する。
【００３２】
分離部２０５は、誤り訂正復号部２０４から入力した受信信号より、各通信装置から報告されたサブキャリア毎の無線品質情報を分離する。そして、分離部２０５は、分離した各通信装置の無線品質情報をリソース割当て部２０６へ出力するとともに、無線品質情報を分離した後に受信信号を出力する。
【００３３】
リソース割当て部２０６は、分離部２０５から入力した無線品質情報、及び後述する無線品質しきい値設定部２０９、２１０から入力したしきい値の情報に基づいて、各通信装置に対してリソースの割り当て、即ちサブキャリアの割り当てを行う。この時、リソース割当て部２０６は、通信装置１００から無線品質情報が報告されていないサブキャリアは割り当て対象から除く。そして、リソース割当て部２０６は、割り当てたサブキャリアの情報である無線リソース割り当て情報を多重部２１３へ出力するとともに、無線リソース割り当て情報を通信装置毎に送信パラメータ設定部２０７及び送信パラメータ設定部２０８へ出力する。
【００３４】
送信パラメータ設定部２０７は、リソース割当て部２０６から入力した無線リソース割り当て情報に基づいて、送信信号を割り当てるサブキャリアにおける変調方式、符号化率等の送信パラメータを設定する。そして、送信パラメータ設定部２０７は、各通信装置宛の送信信号に、設定した送信パラメータの情報を含めて多重部２１３へ出力するとともに、設定した送信パラメータにて送信信号を処理するように誤り訂正符号化部２１４及び変調部２１５に対して指示する。
【００３５】
送信パラメータ設定部２０８は、リソース割当て部２０６から入力した無線リソース割り当て情報に基づいて、送信信号を割り当てるサブキャリアにおける変調方式、符号化率等の送信パラメータを設定する。そして、送信パラメータ設定部２０８は、各通信装置宛の送信信号に、設定した送信パラメータの情報を含めて多重部２１３へ出力するとともに、設定した送信パラメータにて送信信号を処理するように誤り訂正符号化部２１４及び変調部２１５に対して指示する。
【００３６】
無線品質しきい値設定部２０９は、通信装置のＱｏＳ（Quality of Service）及びトラフィック等に基づいてしきい値を設定し、設定したしきい値の情報をリソース割当て部２０６へ出力する。
【００３７】
無線品質しきい値設定部２１０は、通信装置のＱｏＳ及びトラフィック等に基づいてしきい値を設定し、設定したしきい値の情報をリソース割当て部２０６へ出力する。
【００３８】
特定区域割当設定部２１１は、通信装置のＱｏＳ及びトラフィック等の値に基づいて、所定の通信帯域内の複数のサブキャリアの中から任意のサブキャリアを選択する。そして、特定区域割当設定部２１１は、選択したサブキャリアの情報である特定区域情報を多重部２１３へ出力する。
【００３９】
特定区域割当設定部２１２は、通信装置のＱｏＳ及びトラフィック等の値に基づいて、所定の通信帯域内の複数のサブキャリアの中から任意のサブキャリアを選択する。そして、特定区域割当設定部２１２は、選択したサブキャリアの情報である特定区域情報を多重部２１３へ出力する。
【００４０】
多重部２１３は、送信パラメータ設定部２０７及び送信パラメータ設定部２０８から入力した送信パラメータの情報、特定区域割当設定部２１１及び特定区域割当設定部２１２から入力した特定区域情報、リソース割当て部２０６から入力した無線リソース割り当て情報、及び送信信号を多重して誤り訂正符号化部２１４へ出力する。
【００４１】
誤り訂正符号化部２１４は、多重部２１３から入力した多重された送信信号に対して、送信パラメータ設定部２０７及び送信パラメータ設定部２０８より指示された符号化率にて誤り訂正符号化して変調部２１５へ出力する。
【００４２】
変調部２１５は、誤り訂正符号化部２１４から入力した送信信号に対して、送信パラメータ設定部２０７及び送信パラメータ設定部２０８より指示された変調方式にて変調してＲＦ送信部２１６へ出力する。
【００４３】
ＲＦ送信部２１６は、変調部２１５から入力した送信信号をベースバンド周波数から無線周波数にアップコンバートしてアンテナ２０１へ出力する。
【００４４】
次に、通信装置１００及び基地局装置２００の動作について、図３を用いて説明する。図３は、通信装置１００及び基地局装置２００の動作を示すシーケンス図であり、基地局装置２００が２つの通信装置１００と通信を行う場合を例に説明する。図３において、説明の都合上、２つの通信装置１００を各々ＭＳ＃１、ＭＳ＃２と記載し、基地局装置２００をＢＴＳと記載する。ＭＳ＃１及びＭＳ＃２は図１と同一構成を有し、ＢＴＳは図２と同一構成を有する。
【００４５】
ＢＴＳは、特定区域割当設定部２１１及び特定区域割当設定部２１２にて、事前に、遅延が許容されるユーザを収容する特定区域を設定する（特定区域割当制御）。例えば、ＢＴＳが、ＭＳ＃１に対して遅延を許容できないデータを送信し、ＭＳ＃２に対して遅延を許容できるデータを送信する場合には、特定区域割当設定部２１１は通信帯域内の全てのサブキャリアを含む特定区域を選択し、ＢＴＳは特定区域割当設定部２１１にて選択した特定区域の特定区域情報をＭＳ＃１へ送信する（ステップＳＴ３０１）。また、特定区域割当設定部２１２は通信帯域内の複数のサブキャリアの中の一部のサブキャリアを選択し、ＢＴＳは特定区域割当設定部２１２にて選択した特定区域の特定区域情報をＭＳ＃２へ送信する（ステップＳＴ３０２）。
【００４６】
次に、特定区域情報を受信したＭＳ＃１は、特定区域情報制御部１０６にて、特定区域情報により指示されたサブキャリアを選択し、無線品質測定部１０７にて選択したサブキャリアの無線品質を測定する（無線品質測定（全リソース））。図４は、ＭＳ＃１及びＭＳ＃２の通信帯域内＃４１１における周波数と受信品質との関係を示す図である。なお、図４において、通信帯域内＃４１１には４０個のサブキャリア＃４１０が存在しており、通信帯域内＃４１１には５つのグループである特定区域＃４０１、＃４０２、＃４０３、＃４０４、＃４０５が設定されている。図４より、ＭＳ＃１は、全ての特定区域＃４０１、＃４０２、＃４０３、＃４０４、＃４０５を選択する特定区域情報を受信するため、無線品質測定部１０７は全ての特定区域＃４０１、＃４０２、＃４０３、＃４０４、＃４０５のサブキャリア＃４１０の無線品質を測定する。そして、ＭＳ＃１は、測定した特定区域＃４０１、＃４０２、＃４０３、＃４０４、＃４０５のサブキャリア＃４１０の無線品質＃４１２をＢＴＳに報告する（ステップＳＴ３０３）。
【００４７】
一方、特定区域情報を受信したＭＳ＃２は、特定区域情報制御部１０６にて、特定区域情報により指示されたサブキャリアを選択し、無線品質測定部１０７にて選択したサブキャリアの無線品質を測定する（無線品質測定（特定区域））。図４より、ＭＳ＃２は、例えば特定区域＃４０２を選択する特定区域情報を受信し、無線品質測定部１０７は特定区域＃４０２のサブキャリア＃４１０の無線品質を測定する。そして、ＭＳ＃２は、測定した特定区域＃４０２のサブキャリア＃４１０の無線品質＃４１３をＢＴＳに報告する（ステップＳＴ３０４）。
【００４８】
次に、無線品質＃４１２、＃４１３の無線品質情報を受信したＢＴＳは、リソース割当て部２０６にて、特定区域＃４０１、＃４０２、＃４０３、＃４０４、＃４０５のサブキャリアに対して、無線品質＃４１２に応じたリソースをＭＳ＃１に割り当てる（無線品質に基づくリソース割り当て制御）。この時、ＢＴＳは、無線品質＃４１２は無線品質＃４１３よりも品質が良好であるとともに、遅延要求に応じた割当処理を実施しているために
、遅延が許容されないデータを送信するＭＳ＃１に対してはリソースを割り当てることができるが、ＭＳ＃２に対してリソースを割り当てることができない。従って、ＢＴＳは、ＭＳ＃１に対してのみ送信パラメータの情報を送信する（ステップＳＴ３０５）。次に、ＢＴＳは、送信パラメータ設定部２０７にて設定した送信パラメータに基づいて、ＭＳ＃１へ送信する送信信号の処理を行う（ＭＳ＃１用送信処理）。そして、ＢＴＳは、ＭＳ＃１に対して送信信号を送信する（ステップＳＴ３０６）。次に、送信パラメータの情報及び送信信号を受信したＭＳ＃１は、受信信号を処理して（受信処理）、復調できたことを確認して受信応答をＢＴＳに対して返信する（ステップＳＴ３０７）。
【００４９】
次に、ＭＳ＃１は、無線品質測定部１０７にて、ステップＳＴ３０１にて受信した特定区域情報の特定区域＃４０１、＃４０２、＃４０３、＃４０４、＃４０５のサブキャリアの無線品質＃４１２を測定し（無線品質測定（全リソース））、無線品質情報をＢＴＳへ報告する（ステップＳＴ３０８）。また、ＭＳ＃２は、無線品質測定部１０７にて、ステップＳＴ３０２にて受信した特定区域情報の特定区域＃４０２のサブキャリアの無線品質＃４１４を測定し（無線品質測定（特定区域））、無線品質情報をＢＴＳへ報告する（ステップＳＴ３０９）。
【００５０】
次に、無線品質＃４１２、＃４１４の無線品質情報を受信したＢＴＳは、特定区域＃４０２の無線品質はＭＳ＃２の方がＭＳ＃１よりも無線品質が良好であることより、リソース割当て部２０６にて、ＭＳ＃１に対しては特定区域＃４０１、＃４０３、＃４０４、＃４０５のサブキャリアに対して無線品質＃４１２に応じたリソースを割り当てるとともに、ＭＳ＃２に対しては特定区域＃４０２のサブキャリアに対して無線品質＃４１４に応じたリソースを割り当てる（無線品質に基づくリソース割り当て制御）。従って、ＢＴＳは、ＭＳ＃１に対して特定区域＃４０１、＃４０３、＃４０４、＃４０５のサブキャリアの送信パラメータの情報を送信するとともに（ステップＳＴ３１０）、ＭＳ＃２に対して特定区域＃４０２のサブキャリアの送信パラメータの情報を送信する（ステップＳＴ３１１）。
【００５１】
次に、ＢＴＳは、送信パラメータ設定部２０７にて設定した送信パラメータに基づいて、ＭＳ＃１へ送信する送信信号の処理を行うとともに（ＭＳ＃１用送信処理）、送信パラメータ設定部２０８にて設定した送信パラメータに基づいて、ＭＳ＃２へ送信する送信信号の処理を行う（ＭＳ＃２用送信処理）。そして、ＢＴＳは、ＭＳ＃１に対して送信信号を送信するとともに（ステップＳＴ３１２）、ＭＳ＃２に対して送信信号を送信する（ステップＳＴ３１３）。次に、送信パラメータの情報及び送信信号を受信したＭＳ＃１は、受信信号を処理して（受信処理）、受信応答をＢＴＳに対して返信する（ステップＳＴ３１４）。また、送信パラメータの情報及び送信信号を受信したＭＳ＃２は、受信信号を処理して（受信処理）、復調できたことを確認して受信応答をＢＴＳに対して返信する（ステップＳＴ３１５）。
【００５２】
次に、ＭＳ＃１は、ＭＳ＃１宛の２回目の送信で通信が完了したものとして所定の処理を行い（受信完了処理）、以後は品質測定を実施しない。次に、ＭＳ＃２は、無線品質測定部１０７にて、ステップＳＴ３０２にて受信した特定区域情報の特定区域＃４０２のサブキャリアの無線品質＃４１４を測定し（無線品質測定（特定区域））、無線品質情報をＢＴＳへ報告する（ステップＳＴ３１６）。そして、以後は、同様の処理を繰り返す。
【００５３】
このように、本実施の形態１によれば、通信端末装置は、基地局装置によって指示されたサブキャリアの無線品質のみを測定して基地局装置に報告するので、制御情報量を小さくすることができるとともに他のトラフィックへの干渉を抑制することができ、さらに消費電流の増加を防ぐことができる。
【００５４】
（実施の形態２）
図５は、本発明の実施の形態２に係る通信装置５００の構成を示すブロック図である。
【００５５】
本実施の形態２に係る通信装置５００は、図１に示す実施の形態１に係る通信装置１００において、図５に示すように、特定区域情報制御部１０６を除き、特定区域関連情報制御部５０１を追加する。なお、図５においては、図１と同一構成である部分には同一の符号を付してその説明は省略する。
【００５６】
分離部１０５は、誤り訂正復号部１０４から入力した受信信号から、無線リソース割り当て情報、特定区域情報、特定区域有効期限情報及び送信パラメータの情報を分離して、分離した特定区域情報及び特定区域有効期限情報を特定区域関連情報制御部５０１へ出力し、無線リソース割り当て情報及び送信パラメータの情報を復調部１０３及び誤り訂正復号部１０４へ出力する。また、分離部１０５は、無線リソース割り当て情報、特定区域情報、特定区域有効期限情報及び送信パラメータの情報を分離した後の受信信号を出力する。ここで、特定区域有効期限情報とは、基地局装置から指示されるサブキャリアを選択する所定の時間を指定するための情報であり、基地局装置から各通信装置へ送信される情報である。
【００５７】
特定区域関連情報制御部５０１は、分離部１０５から入力した特定区域有効期限情報にて指示された特定区域有効期限（特定区域選択時間）内において、分離部１０５から入力した特定区域情報に基づいて、自分宛に送信されるデータを割り当てるサブキャリアを選択する。具体的には、特定区域関連情報制御部５０１は、特定区域有効期限情報にて指示された時間内には、特定区域情報にて指示されたサブキャリアを選択し、特定区域有効期限情報にて指示されない時間内には、所定の通信帯域内の全てのサブキャリアを選択する。そして、特定区域関連情報制御部５０１は、選択したサブキャリアの情報を無線品質測定部１０７へ出力する。なお、サブキャリアを選択する方法については後述する。また、全ての時間帯において特定区域情報にて選択するサブキャリアが指示される場合には、基地局装置は特定区域有効期限情報を送信する必要はない。
【００５８】
無線品質測定部１０７は、復調部１０３から入力した受信信号に含まれる既知信号であるパイロット信号を用いて、特定区域関連情報制御部５０１から入力したサブキャリアの情報より、選択したサブキャリアの無線品質を測定する。そして、無線品質測定部１０７は、測定結果を無線品質情報生成部１０８へ出力する。
【００５９】
次に、基地局装置６００の構成について、図６を用いて説明する。図６は、基地局装置６００の構成を示すブロック図である。
【００６０】
本実施の形態２に係る基地局装置６００は、図２に示す実施の形態１に係る基地局装置２００において、図６に示すように、多重部２１３の代わりに多重部６０１を有する。なお、図６においては、図２と同一構成である部分には同一の符号を付してその説明は省略する。
【００６１】
送信パラメータ設定部２０７は、リソース割当て部２０６から入力した無線リソース割り当て情報に基づいて、送信信号を割り当てるサブキャリアにおける変調方式、符号化率等の送信パラメータを設定する。そして、送信パラメータ設定部２０７は、各通信装置宛の送信信号に、設定した送信パラメータの情報を含めて多重部６０１へ出力するとともに、設定した送信パラメータにて送信信号を処理するように誤り訂正符号化部２１４及び変調部２１５に対して指示する。
【００６２】
送信パラメータ設定部２０８は、リソース割当て部２０６から入力した無線リソース割り当て情報に基づいて、送信信号を割り当てるサブキャリアにおける変調方式、符号化率等の送信パラメータを設定する。そして、送信パラメータ設定部２０８は、各通信装置宛の送信信号に、設定した送信パラメータの情報を含めて多重部６０１へ出力するとともに、設定した送信パラメータにて送信信号を処理するように誤り訂正符号化部２１４及び変調部２１５に対して指示する。
【００６３】
特定区域割当設定部２１１は、通信装置のＱｏＳ及びトラフィック等の値に基づいて、所定の通信帯域内の複数のサブキャリアの中から任意のサブキャリアを選択する。そして、特定区域割当設定部２１１は、選択したサブキャリアの情報である特定区域情報を多重部６０１へ出力する。
【００６４】
特定区域割当設定部２１２は、通信装置のＱｏＳ及びトラフィック等の値に基づいて、所定の通信帯域内の複数のサブキャリアの中から任意のサブキャリアを選択する。そして、特定区域割当設定部２１２は、選択したサブキャリアの情報である特定区域情報を多重部６０１へ出力する。
【００６５】
多重部６０１は、送信パラメータ設定部２０７及び送信パラメータ設定部２０８から入力した送信パラメータの情報、特定区域割当設定部２１１及び特定区域割当設定部２１２から入力した特定区域情報、リソース割当て部２０６から入力した無線リソース割り当て情報、特定区域有効期限情報及び送信信号を多重して誤り訂正符号化部２１４へ出力する。
【００６６】
誤り訂正符号化部２１４は、多重部６０１から入力した多重された送信信号に対して、送信パラメータ設定部２０７及び送信パラメータ設定部２０８より指示された符号化率にて誤り訂正符号化して変調部２１５へ出力する。
【００６７】
次に、通信装置５００及び基地局装置６００の動作について、図７を用いて説明する。図７は、通信装置５００及び基地局装置６００の動作を示すシーケンス図であり、基地局装置６００が２つの通信装置５００と通信を行う場合を例に説明する。図７において、説明の都合上、２つの通信装置５００を各々ＭＳ＃１、ＭＳ＃２と記載し、基地局装置６００をＢＴＳと記載する。ＭＳ＃１及びＭＳ＃２は図５と同一構成を有し、ＢＴＳは図６と同一構成を有する。
【００６８】
ＢＴＳは、特定区域割当設定部２１１及び特定区域割当設定部２１２にて、事前に、遅延が許容されるユーザを収容する特定区域を設定するとともに（特定区域割り当て制御）、特定区域を設定する処理を行う時間である特定区域有効期限＃７０１を設定する（特定区域タイマー設定）。これにより、ＢＴＳは、特定区域有効期限＃７０１内では特定区域を選択する処理を行い、特定区域有効期限＃７０１以外の時間帯では特定区域を選択する処理を行わない。特定区域有効期限＃７０１においては、ＢＴＳは、ＭＳ＃１、ＭＳ＃２に通知した特定区域情報を変更しない。また、特定区域有効期限が設定される毎に、特定区域情報のサブキャリアを変えるようにすることもでき、特定区域有効期限を所定回数設定する間は特定区域情報のサブキャリアを変えないようにすることもできる。また、図７においては、特定区域有効期限を１回設定する場合について説明したが、特定区域有効期限は、所定の周期にて複数回設定することができる。なお、以後の動作は図３と同一であるので、その説明は省略する。
【００６９】
このように、本実施の形態２によれば、上記実施の形態１の効果に加えて、基地局装置は、所定の周期にて特定区域有効期限を設定するので、特定区域有効期限毎に特定区域割り当てに関して適切なリソース配分の制御を実施することができる。また、本実施の形態２によれば、通信装置は、基地局装置から指示された特定区域有効期限内は測定区間を変える必要がないので、通信装置における処理を簡単にすることができる。
【００７０】
（実施の形態３）
図８は、本発明の実施の形態３に係る通信装置８００の構成を示すブロック図である。
【００７１】
本実施の形態３に係る通信装置８００は、図１に示す実施の形態１に係る通信装置１００において、図８に示すように、特定区域情報制御部１０６を除き、特定区域情報生成部８０１を追加する。なお、図８においては、図１と同一構成である部分には同一の符号を付してその説明は省略する。
【００７２】
分離部１０５は、誤り訂正復号部１０４から入力した受信信号から、無線リソース割り当て情報及び送信パラメータの情報を分離して、分離した無線リソース割り当て情報及び送信パラメータの情報を復調部１０３及び誤り訂正復号部１０４へ出力する。また、分離部１０５は、誤り訂正復号部１０４から入力した受信信号から、自分宛に送信されるデータが遅延を許容できるデータであるか否かの情報であるＱｏＳ情報を分離して、分離したＱｏＳ情報を特定区域情報生成部８０１へ出力する。また、分離部１０５は、ＱｏＳ情報、無線リソース割り当て情報及び送信パラメータの情報を分離した後の受信信号を出力する。
【００７３】
特定区域情報生成部８０１は、分離部１０５から入力したＱｏＳ情報より、自分宛に送信されるデータが遅延を許容できるデータである場合には、所定の通信帯域内のサブキャリアの中から自分宛に送信されるデータを割り当てるサブキャリアを選択し、選択したサブキャリアの情報を無線品質測定部１０７へ出力する。また、特定区域情報生成部８０１は、分離部１０５から入力したＱｏＳ情報より、自分宛に送信されるデータが遅延を許容できないデータである場合には、自分宛に送信されるデータを割り当てるサブキャリアとして通信帯域内の全てのサブキャリアを選択し、選択したサブキャリアの情報を無線品質測定部１０７へ出力する。また、特定区域情報生成部８０１は、自分宛に送信されるデータが遅延を許容できるデータであるＱｏＳ情報の場合には、選択したサブキャリアの情報を特定区域情報として多重部１０９へ出力する。
【００７４】
無線品質測定部１０７は、復調部１０３から入力した受信信号に含まれる既知信号であるパイロット信号を用いて、特定区域情報生成部８０１から入力したサブキャリアの情報より、選択したサブキャリアの無線品質を測定する。そして、無線品質測定部１０７は、測定結果を無線品質情報生成部１０８へ出力する。
【００７５】
多重部１０９は、送信信号、無線品質情報生成部１０８から入力した無線品質情報及び特定区域情報生成部８０１から入力した特定区域情報を多重して誤り訂正符号化部１１０へ出力する。
【００７６】
次に、基地局装置９００の構成について、図９を用いて説明する。図９は、基地局装置９００の構成を示すブロック図である。本実施の形態２に係る基地局装置９００は、図２に示す実施の形態１に係る基地局装置２００において、図９に示すように、特定区域割当設定部２１１及び特定区域割当設定部２１２を除き、特定区域情報制御部９０１を追加する。なお、図９においては、図２と同一構成である部分には同一の符号を付してその説明は省略する。
【００７７】
分離部２０５は、誤り訂正復号部２０４から入力した受信信号から各通信装置から報告されたサブキャリア毎の無線品質情報及び特定区域情報を分離する。そして、分離部２０５は、分離した各通信装置の無線品質情報をリソース割当て部２０６へ出力するとともに、分離した各通信装置の特定区域情報を特定区域情報制御部９０１へ出力する。また、分離部２０５は、無線品質情報及び特定区域情報を分離した後の受信信号を出力する。
【００７８】
特定区域情報制御部９０１は、リソース割当て部２０６に対して、分離部２０５から入力した特定区域情報にて報告された、通信装置８００が選択したサブキャリアの範囲内にてリソース割り当てを行うように指示する。
【００７９】
リソース割当て部２０６は、特定区域情報制御部９０１にて指示されたサブキャリアについて、分離部２０５から入力した無線品質情報、及び無線品質しきい値設定部２０９、２１０から入力したしきい値の情報に基づいて、各通信装置に対してリソースの割り当て、即ちサブキャリアの割り当てを行う。そして、リソース割当て部２０６は、割り当てたサブキャリアの情報である無線リソース割り当て情報を多重部２１３へ出力するとともに、無線リソース割り当て情報を通信装置毎に送信パラメータ設定部２０７及び送信パラメータ設定部２０８へ出力する。
【００８０】
多重部２１３は、送信パラメータ設定部２０７及び送信パラメータ設定部２０８から入力した送信パラメータの情報、リソース割当て部２０６から入力した無線リソース割り当て情報、ＱｏＳ情報及び送信信号を多重して誤り訂正符号化部２１４へ出力する。ここで、ＱｏＳ情報における遅延を許容できるデータであるか否かの判断は、所定のしきい値とデータの許容できる遅延時間とを比較して、許容できる遅延時間がしきい値以上であれば遅延を許容できるデータであるものと判断する等が考えられる。
【００８１】
次に、通信装置８００及び基地局装置９００の動作について、図１０を用いて説明する。図１０は、通信装置８００及び基地局装置９００の動作を示すシーケンス図であり、基地局装置９００が２つの通信装置８００と通信を行う場合を例に説明する。図１０において、説明の都合上、２つの通信装置８００を各々ＭＳ＃１、ＭＳ＃２と記載し、基地局装置９００をＢＴＳと記載する。ＭＳ＃１及びＭＳ＃２は図８と同一構成を有し、ＢＴＳは図９と同一構成を有する。
【００８２】
ＢＴＳは、ＭＳ＃１に対してＭＳ＃１のＱｏＳ情報を送信する（ステップＳＴ１００１）。また、ＢＴＳは、ＭＳ＃２に対してＭＳ＃２のＱｏＳ情報を送信する（ステップＳＴ１００２）。この場合、ＭＳ＃１に対して送信するＱｏＳ情報は遅延を許容できないデータを送信する旨の情報であり、ＭＳ＃２に対して送信するＱｏＳ情報は遅延を許容できるデータを送信する旨の情報である。次に、ＱｏＳ情報を受信したＭＳ＃１は、自分宛に送信されるデータが遅延を許容できないデータであるので、特定区域情報生成部８０１にて特定区域情報を生成しない。一方、ＱｏＳ情報を受信したＭＳ＃２は、自分宛に送信されるデータが遅延を許容できるデータであるので、特定区域情報生成部８０１にて特定区域情報を生成する（特定区域要求処理）。次に、ＭＳ＃２は、生成した特定区域情報をＢＴＳへ送信する（ステップＳＴ１００３）。
【００８３】
次に、特定区域情報を送信しないＭＳ＃１は、通信帯域内の全てのサブキャリアの無線品質を測定する（無線品質測定（全リソース））。例えば、図４より、ＭＳ＃１は、無線品質測定部１０７にて、全ての特定区域＃４０１、＃４０２、＃４０３、＃４０４、＃４０５のサブキャリア＃４１０の無線品質を測定する。そして、ＭＳ＃１は、測定した特定区域＃４０１、＃４０２、＃４０３、＃４０４、＃４０５のサブキャリア＃４１０の無線品質＃４１２をＢＴＳに報告する（ステップＳＴ３０３）。
【００８４】
一方、特定区域情報を送信したＭＳ＃２は、ＢＴＳに送信した特定区域情報のサブキャリアの無線品質を測定する（無線品質測定（特定区域））。例えば、図４より、ＭＳ＃２は、特定区域＃４０２の特定区域情報をＢＴＳへ送信した場合には、無線品質測定部１０７は特定区域＃４０２のサブキャリア＃４１０の無線品質を測定する。そして、ＭＳ＃２は、測定した特定区域＃４０２のサブキャリア＃４１０の無線品質＃４１３をＢＴＳに報告する（ステップＳＴ３０４）。なお、図１０において、以後の動作は図３と同一であるので、図３と同一の符号を付してその説明は省略する。
【００８５】
このように、本実施の形態３によれば、通信装置は、遅延が許容されるデータが自分宛に送信される場合には、通信帯域内のサブキャリアの内の一部のサブキャリアを選択して、選択したサブキャリアの無線品質のみを測定して基地局装置に報告するので、制御情報量を小さくすることができるとともに他のトラフィックへの干渉を抑制することができ、さらに消費電流の増加を防ぐことができる。
【００８６】
なお、本実施の形態３において、基地局装置９００から送信されるＱｏＳ情報に遅延が許容できるデータであるか否かの判断結果の情報を含めることとしたが、これに限らず、ＱｏＳ情報には許容できる時間の情報を含めて、通信装置８００の特定区域情報生成部８０１にてＱｏＳ情報の許容できる時間としきい値とを比較して、許容できる時間がしきい値以上である場合に遅延が許容できるデータであるものと判断するようにしても良い。
【００８７】
（実施の形態４）
図１１は、本発明の実施の形態４に係る通信装置１１００の構成を示すブロック図である。
【００８８】
本実施の形態４に係る通信装置１１００は、図１に示す実施の形態１に係る通信装置１００において、図１１に示すように、測定範囲クラス制御部１１０１を追加する。なお、図１１においては、図１と同一構成である部分には同一の符号を付してその説明は省略する。
【００８９】
分離部１０５は、誤り訂正復号部１０４から入力した受信信号から、無線リソース割り当て情報及び送信パラメータの情報を分離して、分離した無線リソース割り当て情報及び送信パラメータの情報を復調部１０３及び誤り訂正復号部１０４へ出力する。また、分離部１０５は、誤り訂正復号部１０４から入力した受信信号から、自分宛に送信されるデータの許容できる遅延時間を段階的に示す情報である測定範囲クラス情報を分離して、分離した測定範囲クラス情報を測定範囲クラス制御部１１０１へ出力する。また、分離部１０５は、測定範囲クラス情報、無線リソース割り当て情報及び送信パラメータの情報を分離した後の受信信号を出力する。なお、測定範囲クラス情報の詳細は後述する。
【００９０】
測定範囲クラス制御部１１０１は、測定範囲クラスと測定範囲とを関係付けた基地局装置と同一の測定範囲選択用情報を記憶しており、分離部１０５から入力した測定範囲クラス情報を用いて、測定範囲選択用情報を参照して測定範囲を選択する。そして、測定範囲クラス制御部１１０１は、選択した測定範囲の情報を特定区域情報制御部１０６へ出力する。
【００９１】
特定区域情報制御部１０６は、測定範囲クラス制御部１１０１から入力した測定範囲の情報より、自分宛に送信されるデータを割り当てるサブキャリアを測定範囲毎に選択し、選択したサブキャリアの情報を無線品質測定部１０７へ出力する。なお、サブキャリアを選択する方法については後述する。
【００９２】
次に、基地局装置１２００の構成について、図１２を用いて説明する。図１２は、基地局装置１２００の構成を示すブロック図である。
【００９３】
本実施の形態４に係る基地局装置１２００は、図２に示す実施の形態１に係る基地局装置２００において、図１２に示すように、特定区域割当設定部２１１、２１２を除き、測定範囲クラス制御部１２０１、１２０２を追加する。なお、図１２においては、図２と同一構成である部分には同一の符号を付してその説明は省略する。また、図１２は、基地局装置１２００が２つの通信装置１１００と通信している場合であるが、基地局装置１２００は、２つ以外の任意の数の通信装置と通信することができる。この場合には、送信パラメータ設定部２０７、２０８、無線品質しきい値設定部２０９、２１０及び測定範囲クラス制御部１２０１、１２０２は、通信している通信装置の数と同じ数だけ各々設けることができる。
【００９４】
測定範囲クラス制御部１２０１は、測定範囲クラス制御部１１０１と同一の測定範囲選択用情報を記憶しており、許容できる遅延毎に段階的に設定された測定範囲の中から、通信装置のＱｏＳ及びトラフィック等の値に基づいて測定範囲を選択し、選択した測定範囲の情報を測定範囲クラス情報として多重部２１３へ出力する。
【００９５】
測定範囲クラス制御部１２０２は、測定範囲クラス制御部１１０１と同一の測定範囲選択用情報を記憶しており、許容できる遅延毎に段階的に設定された測定範囲の中から、通信装置のＱｏＳ及びトラフィック等の値に基づいて測定範囲を選択し、選択した測定範囲の情報を測定範囲クラス情報として多重部２１３へ出力する。
【００９６】
次に、サブキャリアを選択する方法について説明する。図１３は、ＭＳ＃１及びＭＳ＃２の通信帯域内＃１３１１における周波数と受信品質との関係を示す図である。なお、図１３において、通信帯域内＃１３１１には４０個のサブキャリア＃１３１０が存在しており、通信帯域内＃１３１１には５つの特定区域＃１３０１、＃１３０２、＃１３０３、＃１３０４、＃１３０５が設定されている。また、測定範囲クラス情報において、遅延許容度クラス１は特定区域＃１３０２を選択するものであり、遅延許容度クラス２は特定区域＃１３０１及び特定区域＃１３０２を選択するものであり、遅延許容度クラス３は特定区域＃１３０１、＃１３０２、＃１３０３、＃１３０４を選択するもの、即ち通信帯域内＃１３１１の全てのサブキャリアを選択するものである。遅延許容度クラス１が最も許容される遅延時間が大きく、遅延許容度クラス３が最も許容される遅延時間が小さく、遅延許容度クラス２は遅延許容度クラス１よりは許容される遅延時間が小さいが遅延許容度クラス３よりは許容される遅延時間が大きいものである。このように、データの許容できる遅延時間が長くなるほどデータを割り当てるサブキャリアが少なくなるようにしている。
【００９７】
図１３より、例えば許容される遅延時間が大きいデータを送信する通信装置１１００に対しては、基地局装置１２００は、遅延許容度クラス１の測定範囲クラス情報を送信し、許容される遅延時間が小さいデータを送信する通信装置１１００に対しては、基地局装置１２００は、遅延許容度クラス３の測定範囲クラス情報を送信する。なお、通信装置１１００及び基地局装置１２００の動作は、特定区域の代わりに測定範囲を割り当てるとともに特定区域情報の代わりに測定範囲クラス情報を送信する以外は図３と同一であるので、その説明は省略する。
【００９８】
このように、本実施の形態４によれば、上記実施の形態１の効果に加えて、サブキャリアを測定範囲毎のグループ分けするとともに許容される遅延時間に応じた測定範囲を選択するので、許容される遅延時間に応じて精度良く各サブキャリアについての周波数スケジューリングを行うことができる。また、本実施の形態４によれば、基地局装置は測定範囲クラス情報を送信するだけで通信装置にてサブキャリアを選択することができるので、サブキャリアを選択するための処理を簡略化することができる。
【００９９】
（実施の形態５）
図１４は、本発明の実施の形態５に係る通信装置１４００の構成を示すブロック図である。
【０１００】
本実施の形態５に係る通信装置１４００は、図１に示す実施の形態１に係る通信装置１００において、図１４に示すように、特定区域情報制御部１０６を除き、測定範囲クラス制御部１４０１及び特定区域情報生成部１４０２を追加する。なお、図１４においては、図１と同一構成である部分には同一の符号を付してその説明は省略する。
【０１０１】
分離部１０５は、誤り訂正復号部１０４から入力した受信信号から、無線リソース割り当て情報及び送信パラメータの情報を分離して、分離した無線リソース割り当て情報及び送信パラメータの情報を復調部１０３及び誤り訂正復号部１０４へ出力する。また、分離部１０５は、誤り訂正復号部１０４から入力した受信信号から、自分宛に送信されるデータの許容できる遅延時間を示す情報であるＱｏＳ情報を分離して、分離したＱｏＳ情報を測定範囲クラス制御部１４０１へ出力する。また、分離部１０５は、ＱｏＳ情報、無線リソース割り当て情報及び送信パラメータの情報を分離した後の受信信号を出力する。
【０１０２】
測定範囲クラス制御部１４０１は、許容遅延時間毎の測定範囲クラスと測定範囲とを関係付けた基地局装置と同一の測定範囲選択用情報を記憶しており、分離部１０５から入力したＱｏＳ情報を用いて測定範囲選択用情報を参照して、許容できる遅延時間に応じた測定範囲を選択する。そして、測定範囲クラス制御部１４０１は、選択した測定範囲の情報を特定区域情報生成部１４０２及び多重部１０９へ出力する。
【０１０３】
特定区域情報生成部１４０２は、測定範囲クラス制御部１４０１から入力した測定範囲の情報より、測定範囲のサブキャリアを自分宛に送信されるデータを割り当てるサブキャリアとして選択し、選択したサブキャリアの情報を無線品質測定部１０７へ出力する。
【０１０４】
無線品質測定部１０７は、復調部１０３から入力した受信信号に含まれる既知信号であるパイロット信号を用いて、特定区域情報生成部１４０２から入力したサブキャリアの情報より、選択したサブキャリアの無線品質を測定する。そして、無線品質測定部１０７は、測定結果を無線品質情報生成部１０８へ出力する。
【０１０５】
多重部１０９は、送信信号、無線品質情報生成部１０８から入力した無線品質情報及び測定範囲クラス制御部１４０１から入力した測定範囲クラス情報を多重して誤り訂正符号化部１１０へ出力する。
【０１０６】
次に、基地局装置１５００の構成について、図１５を用いて説明する。図１５は、基地局装置１５００の構成を示すブロック図である。本実施の形態５に係る基地局装置１５００は、図２に示す実施の形態１に係る基地局装置２００において、図１５に示すように、特定区域割当設定部２１１、２１２を除き、測定範囲クラス制御部１５０１を追加する。なお、図１５においては、図２と同一構成である部分には同一の符号を付してその説明は省略する。
【０１０７】
分離部２０５は、誤り訂正復号部２０４から入力した受信信号から各通信装置から報告されたサブキャリア毎の無線品質情報及び測定範囲クラス情報を分離する。そして、分離部２０５は、分離した各通信装置の無線品質情報をリソース割当て部２０６へ出力するとともに、分離した各通信装置の測定範囲クラス情報を測定範囲クラス制御部１５０１へ出力する。また、分離部２０５は、無線品質情報及び測定範囲クラス情報を分離した後の受信信号を出力する。
【０１０８】
測定範囲クラス制御部１５０１は、測定範囲クラス制御部１４０１と同一の測定範囲選択用情報を記憶しており、分離部２０５から入力した測定範囲クラス情報を用いて測定範囲選択用情報を参照して、測定範囲を選択する。そして、測定範囲クラス制御部１５０１は、リソース割当て部２０６に対して、選択した測定範囲内、即ち通信装置１４００が選択した測定範囲内にてリソース割り当てを行うように指示する。
【０１０９】
リソース割当て部２０６は、測定範囲クラス制御部１５０１にて指示されたサブキャリアについて、分離部２０５から入力した無線品質情報、及び無線品質しきい値設定部２０９、２１０から入力したしきい値の情報に基づいて、各通信装置に対してリソースの割り当て、即ちサブキャリアの割り当てを行う。そして、リソース割当て部２０６は、割り当てたサブキャリアの情報である無線リソース割り当て情報を多重部２１３へ出力するとともに、無線リソース割り当て情報を通信装置毎に送信パラメータ設定部２０７及び送信パラメータ設定部２０８へ出力する。
【０１１０】
多重部２１３は、送信パラメータ設定部２０７及び送信パラメータ設定部２０８から入力した送信パラメータの情報、リソース割当て部２０６から入力した無線リソース割り当て情報、ＱｏＳ情報及び送信信号を多重して誤り訂正符号化部２１４へ出力する。なお、通信装置１４００及び基地局装置１５００の動作は、特定区域の代わりに測定範囲を割り当てるとともに特定区域情報の代わりに測定範囲クラス情報を送信する以外は図１０と同一であるので、その説明は省略する。また、サブキャリアを選択する方法は図１３と同一であるので、その説明は省略する。
【０１１１】
このように、本実施の形態５によれば、通信端末装置は、送信データの許容される遅延時間に応じた測定範囲を選択して、選択した測定範囲内のサブキャリアの無線品質のみを測定して基地局装置に報告するので、制御情報量を小さくすることができるとともに他のトラフィックへの干渉を抑制することができ、さらに消費電流の増加を防ぐことができる。また、本実施の形態５によれば、サブキャリアを測定範囲毎のグループ分けするとともに許容遅延度クラスに応じた測定範囲を選択するので、許容される遅延時間に応じて精度良く各サブキャリアについての周波数スケジューリングを行うことができる。また、本実施の形態５によれば、測定範囲クラス情報を送信するだけでサブキャリアを選択することができるので、サブキャリアを選択するための処理を簡略化することができる。
【０１１２】
なお、上記実施の形態１〜実施の形態５の通信装置１００、５００、８００、１１００、１４００は、各々通信端末装置に適用することができる。
【産業上の利用可能性】
【０１１３】
本発明にかかる受信装置及び受信方法は、周波数スケジューリングを用いた通信方式に適用するに好適である。
【符号の説明】
【０１１４】
１００  通信装置
１０３  復調部
１０４  誤り訂正復号部
１０５  分離部
１０６  特定区域情報制御部
１０７  無線品質測定部
１０８  無線品質情報生成部
１０９  多重部
１１０  誤り訂正符号化部
１１１  変調部
【図１】
2010035233.tif 000003
【図２】
2010035233.tif 000004
【図３】
2010035233.tif 000005
【図４】
2010035233.tif 000006
【図５】
2010035233.tif 000007
【図６】
2010035233.tif 000008
【図７】
2010035233.tif 000009
【図８】
2010035233.tif 000010
【図９】
2010035233.tif 000011
【図１０】
2010035233.tif 000012
【図１１】
2010035233.tif 000013
【図１２】
2010035233.tif 000014
【図１３】
2010035233.tif 000015
【図１４】
2010035233.tif 000016
【図１５】
2010035233.tif 000017